(57)【要約】【課題】  側壁パネルを建築躯体壁に付け、浴室を建築躯体の浴室構築スペースぎりぎりまで拡張しても、気泡噴出機能付き浴槽等を設置できるようにする。【解決手段】  浴槽１を載置する底板２に、この底板２の上下の空間を連通させる通気部材４を、水密状に取り付ける。この場合、本発明は、底板２に通気部材４の取付部５を凸段差状に形成し、この取付部５に上下方向に貫通する孔５ａを形成し、通気部材４を管状に形成すると共に、その下端を上記の孔５ａに螺合させるのが好ましい。また通気部材４の下部に、通気部材４と軸心を同一にしてナット形の径の拡大部４ａを形成するのが好ましい。【選択図】      図１
2009270383.tif 000002
【特許請求の範囲】
【請求項１】
浴槽が載置される底板と、この底板の周囲の立ち上がり壁とで形成されている浴槽載置用の防水パンであって、上記の底板に、底板の上下の空間を連通させる通気部材が、水密状に取り付けられていることを特徴とする浴槽載置用の防水パン。
【請求項２】
請求項１記載の浴槽載置用の防水パンであって、底板に通気部材の取付部が凸段差状に形成され、この取付部に上下方向に貫通する孔が形成され、通気部材が管状に形成されると共に、その下端が上記の孔に螺合されていることを特徴とする浴槽載置用の防水パン。
【請求項３】
請求項２記載の浴槽載置用の防水パンであって、通気部材の下端が取付部の孔に螺合されるのに代え、取付部の孔に管状の継手が螺合され、この継手の上部に通気部材の下端が嵌め付けられていることを特徴とする浴槽載置用の防水パン。
【請求項４】
請求項２記載の浴槽載置用の防水パンであって、通気部材の下部に、通気部材と軸心を同一にしてナット形の径の拡大部が形成されていることを特徴とする浴槽載置用の防水パン。
【請求項５】
請求項３記載の浴槽載置用の防水パンであって、継手が、軸心を同一にするナット形の径の拡大箇所を備えて形成されていることを特徴とする浴槽載置用の防水パン。
【請求項６】
請求項２乃至５の何れかに記載の浴槽載置用の防水パンであって、通気部材の上端が、底板の周囲の立ち上がり壁より高く位置決めされていることを特徴とする浴槽載置用の防水パン。
【請求項７】
請求項２乃至６の何れかに記載の浴槽載置用の防水パンであって、通気部材の上端の開口面が、防虫用のネットで覆われていることを特徴とする浴槽載置用の防水パン。
【発明の詳細な説明】
【技術分野】
【０００１】
本発明は、浴槽載置用の防水パンに関し、更に詳しくは気泡噴出機能付き浴槽を載置するのに好適なよう形成した浴槽載置用の防水パンに関するものである。
【背景技術】
【０００２】
従来、この種の防水パンは、通常、浴槽が載置される底板と、この底板の周囲の立ち上がり壁とで形成されている（例えば特許文献１の図１参照）。
ところで浴室は、快適性が良くなるよう、建築躯体の浴室構築スペース内において、できるだけ広く形成されていることが望ましい。特に、通常の浴槽より快適な気泡噴出機能付き浴槽は、この種の浴槽が、一般的に付属装置等で占有スペースが広く必要になることから、一層、浴室スペースは広く確保することが望まれている。
【０００３】
而して、この種の浴槽は、ジェット噴流を起こさせるため、外気を取り込む必要がある。この場合、浴槽載置用の防水パンと洗い場との境界は、洗い場から防水パンに水が浸入することを防止するため、通常、浴槽エプロン等で密閉されている。
従って従来、この種の浴槽を設置する場合は、浴室の側壁パネルに孔を開け、この孔から外気を取り込むことが行なわれている。そのため従来は、側壁パネルを、建築躯体壁に付けて配置することができず、建築躯体壁と側壁パネルとの間に隙間を設ける必要があったから、この点で浴室スペースの拡張に制約があった。
【特許文献１】特開平１１−２４４１８２号公報
【発明の開示】
【発明が解決しようとする課題】
【０００４】
本発明は、このような従来の実情に鑑み、提案されたものである。
従って本発明の解決しようとする技術的課題は、気泡噴出機能付き浴槽等を載置する場合でも、浴室を、建築躯体の浴室構築スペースぎりぎりまで広く確保することができるよう形成した浴槽載置用の防水パンを提供することにある。
【課題を解決するための手段】
【０００５】
本発明は、上記の課題を解決するため、次のような技術的手段を採る。
即ち本発明は、図１等に示されるように、浴槽１が載置される底板２と、この底板２の周囲の立ち上がり壁３とで形成されている浴槽載置用の防水パンであって、上記の底板２に、底板２の上下の空間を連通させる通気部材４が、水密状に取り付けられていることを特徴とする（請求項１）。
【０００６】
本発明の場合、通気部材４の形状や大きさ、材質等は任意である。通気部材４を取り付ける場合は、例えば底板２に孔５ａを開け、この孔５ａにパッキン６やコーキング剤等の止水部材を用いて水密状に取り付けたり、或いは底板２の脚高さ調整用孔（ドライバー等の工具を通すための孔）または脚取付孔を利用して水密状に取り付けることで実現される。脚高さ調整用孔を利用する場合は、通常、防水パンの下側の架台に固定された脚との間に空間が形成されているが、脚取付孔を利用する場合は、防水パンに脚が固定されているので脚自体をパイプ状に形成し、底板２の下側の空間と脚の内部が連通するよう形成しておく。
【０００７】
而して本発明は、底板２に通気部材４の取付部５が凸段差状に形成され、この取付部５に上下方向に貫通する孔５ａが形成され、通気部材４が管状に形成されると共に、その下端が上記の孔５ａに螺合されているのが好ましい（請求項２）。
なぜならこれによると、通気部材４を、取付部５にネジ込むことで、簡単且つ楽に取り付けることができるからである。またこの場合は、凸段差状の取付部５と、管状の通気部材４とで、底板２の上面より通気部材４の上端を高く位置決めでき、その分、底板２の上面に水が浸入しても、この種の水が通気部材４を介して底板２の下側に漏れることを防止できるからである。
【０００８】
また本発明は、通気部材４の下端が取付部５の孔５ａに螺合されるのに代え、図６〜図９に示されるように、取付部５の孔５ａに管状の継手８が螺合され、この継手８の上部８ａに通気部材４の下端が嵌め付けられているのでも良い（請求項３）。
なぜならこれによると、通気部材４として、例えばゴム製や樹脂製の安価なパイプの利用が可能になり、また嵌め付けという、より簡単、迅速な操作で通気部材４を取り付けることができるからである。
【０００９】
また請求項２記載の本発明品は、通気部材４の下部に、通気部材４と軸心を同一にしてナット形の径の拡大部４ａが形成されているのが好ましい（請求項４）。
なぜならこれによると、径の拡大部４ａを利用して通気部材４をレンチ等の工具で、簡単且つ確実、堅固に取り付けることができるからである。またこの場合は、ナット形の径の拡大部４ａと取付部５との間にパッキン６を挟み込むことができるからである。
【００１０】
また請求項３記載の本発明品は、継手８が、軸心を同一にするナット形の径の拡大箇所８ｂを備えて形成されているのが好ましい（請求項５）。
なぜならこれによると、上例と同様、径の拡大箇所８ｂを利用して継手８をレンチ等の工具で、簡単且つ確実、堅固に取り付けることができ、またナット形の径の拡大箇所８ｂと取付部５との間にパッキン６を挟み込むことができるからである。なお、径の拡大箇所８ｂは、通常、継手８の下部や胴部に形成される。
【００１１】
また本発明は、通気部材４の上端が、図１Ｂ、図５に示されるように、底板２の周囲の立ち上がり壁３より高く位置決めされているのが好ましい（請求項６）。
なぜならこれによると、底板２の上に水が浸入しても、立ち上がり壁３を越えるまでは通気部材４を介して底板２の下側の空間に水が漏れ出すことを防止でき、従って水漏れ防止性能を高めることができるからである。ここで、通気部材４の上端が、底板２の周囲の立ち上がり壁３より高く位置決めされている、とは、通気部材４の上端が、底板２の上に水が浸入した場合に想定される最も高い水面の位置より上に位置する、ということを意味し、上記の水漏れ防止性能を有するのであれば、立ち上がり壁３の上端、或いは上部等との厳密な高さ関係は問わないものである。
【００１２】
また本発明は、通気部材４の上端の開口面が、防虫用のネット７で覆われているのが好ましい（請求項７）。
なぜならこれによると、通気部材４を介して虫が底板２の上側の空間に侵入することを防止できるからである。
【発明の効果】
【００１３】
本発明は、このように底板に、底板の上下の空間を連通させる通気部材が、水密状に取り付けられているものである。
従って本発明の場合は、外気を底板の下側から浴槽周りに取り込むことができ、側壁パネルを建築躯体壁に付け、浴室を建築躯体の浴室構築スペースぎりぎりまで拡張しても、気泡噴出機能付き浴槽等を設置できる。
【発明を実施するための最良の形態】
【００１４】
以下、本発明を実施するための最良の形態を説明する。
本発明の防水パンは、図１等に示されるように、浴槽１が載置される底板２と、この底板２の周囲の立ち上がり壁３とで形成されている。浴槽１は、図２に示されるように、気泡噴出機能を備えて形成されている。なお、本発明は、洗浄機能を備え、気泡混じりの洗浄水を噴出する洗浄機能付き浴槽にも適用は可能である。
【００１５】
そして本発明は、上記の底板２に、底板２の上下の空間を連通させる通気部材４が、水密状に取り付けられている。５は、通気部材４の取付部である。この取付部５は、底板２に、この実施形態では円錐形の凸段差状に形成されている。また取付部５には、図３、図４等に示されるように、上下方向に貫通する孔５ａが形成されている。
【００１６】
上記の通気部材４は、この実施形態では金属パイプで形成され、図３等に示されるように、下端が上記の孔５ａに螺合するよう、雄ネジ状に形成されている。またこの実施形態では、通気部材４の下部に、通気部材４と軸心を同一にしてナット形の径の拡大部４ａが形成されている。
【００１７】
６（図３等参照）は、パッキンである。このパッキン６は、ナット形の径の拡大部４ａと、取付部５との間に挟み込まれ、これにより、本発明では通気部材４が、底板２に水密状に取り付けられるものである。
【００１８】
また通気部材４の上端は、図１Ｂ、図５に示されるように、底板２の周囲の立ち上がり壁３より高く位置決めされている。
７（図３等参照）は、防虫用のネットである。このネット７は、この実施形態ではキャップ状に形成され、通気部材４の上端の開口面に被せて取り付けられる。
【００１９】
次に本発明の施工例を説明する。
先ず作業者は、図３に示されるように、取付部５の孔５ａに通気部材４の下端をねじ込む。この場合、作業者は、径の拡大部４ａをレンチ等で回して締め付けるのが良い。そして通気部材４を底板２に起立状に設置した後、キャップ状のネット７を、通気部材４の上端に嵌め付ける。この実施形態の本発明品は、通気部材４を立てると、その上端が立ち上がり壁３より高く位置決めされているから、底板２の上に水が浸入しても、立ち上がり壁３の高さまでは底板２の下側の空間に水漏れすることがない。
【００２０】
而して本発明は、図６〜図９に示されるように構成されているのでも良い。
即ち、この本発明は、通気部材４の下端が取付部５の孔５ａに螺合されるのに代え、取付部５の孔５ａに管状の継手８が螺合され、この継手８の上部８ａに通気部材４の下端が嵌め付けられているものである。
【００２１】
通気部材４は、この実施形態では軟質樹脂製のパイプで形成されている。継手８の上部８ａは、通気部材４が抜け難くなるよう、上方に向かって先すぼまりの複数の円錐形段差で凹凸状や、或いは雄ネジ状に形成されている。
【００２２】
また継手８は、軸心を同一にするナット形の径の拡大箇所８ｂを備えて形成されている。なお、６は、ナット形の径の拡大箇所８ｂと、取付部５との間に配置されるパッキンである。
【００２３】
また９は、径が収縮可能に形成されているリング形の締め具である。通気部材４の下部は、継手８の上部８ａに嵌め付けられると共に、この締め具９によって堅固に固定されるものである。なお、通気部材４の上端は、上例と同様、立ち上がり壁３より高く位置決めされている。また通気部材４の上端の開口面には、この実施形態の場合も、上例と同様、防虫用のネット７（図７参照）が被せられている。
【００２４】
而してこの本発明の場合、作業者は、底板２の孔５ａに継手８の下部を、パッキン６を介してネジ込む。この場合、作業者は、径の拡大箇所８ｂをレンチ等の工具で締め付けて継手８を底板２に堅固に取り付ける。
次に作業者は、継手８の上部８ａに、通気部材４の下部を嵌め付け、その後、締め具９で通気部材４の下部を継手８の上部８ａに締め付ける。
【００２５】
以上の処において、本発明は、通気部材４の径の拡大部４ａや、継手８の径の拡大箇所８ｂは省略されているのでも良い。また通気部材４や継手８は、その下部が底板２に接着等の手段で設けられているのでも良い。
【図面の簡単な説明】
【００２６】
【図１】本発明の防水パンの好適な一実施形態を示し、Ａは要部平面図、Ｂは要部縦断面図である。
【図２】同上防水パンの使用状態を示す浴室の斜視図である。
【図３】同上防水パンの通気部材の取付時の要部斜視図である。
【図４】同上防水パンの通気部材の取付時の要部正面図である。
【図５】同上防水パンの要部縦断面図である。
【図６】同上防水パンの他の実施形態を示す要部斜視図である。
【図７】図６に係る本発明品の要部縦断面図である。
【図８】図６に係る本発明品の取付時の要部正面図である。
【図９】図６に係る本発明品の要部縦断面図である。
【符号の説明】
【００２７】
１      浴槽
２      底板
３      立ち上がり壁
４      通気部材
【図１】
2009270383.tif 000003
【図２】
2009270383.tif 000004
【図３】
2009270383.tif 000005
【図４】
2009270383.tif 000006
【図５】
2009270383.tif 000007
【図６】
2009270383.tif 000008
【図７】
2009270383.tif 000009
【図８】
2009270383.tif 000010
【図９】
2009270383.tif 000011